Podtech/llm-jp-corpus-v4-ja_patent huggingface dataset:
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
基地局（ＢＳ）から、第１チャネル状態情報参照信号（ＣＳＩ−ＲＳ）リソースにおいて複数のアンテナポート（ＡＰ）を用いて複数の第１ＣＳＩ−ＲＳと、第２ＣＳＩ−ＲＳリソースにおいて複数のＡＰを用いて複数の第２ＣＳＩ−ＲＳと、を送信するステップと、
ユーザ装置（ＵＥ）において、前記第１ＣＳＩ−ＲＳ及び前記第２ＣＳＩ−ＲＳを受信するステップと、
前記ＵＥにおいて、前記第１ＣＳＩ−ＲＳリソースにおける第１参照信号受信電力（ＲＳＲＰ）値と、前記第２ＣＳＩ−ＲＳリソースにおける第２ＲＳＲＰ値と、を算出するステップと、
前記ＵＥにおいて、前記第１ＲＳＲＰ値及び前記第２ＲＳＲＰ値に基づいて、前記第１ＣＳＩ−ＲＳリソース及び前記第２ＣＳＩ−ＲＳリソースからＣＳＩ−ＲＳリソースを決定するステップと、
前記ＵＥにおいて、前記決定されたＣＳＩ−ＲＳリソースを示すＣＳＩリソースインジケータ（ＣＲＩ）と、前記決定されたＣＳＩ−ＲＳリソースにおけるＲＳＲＰ値と、の少なくとも１つを報告するステップと、を有する無線通信方法。
【請求項２】
第１チャネル状態情報参照信号（ＣＳＩ−ＲＳ）リソースにおいて複数のアンテナポート（ＡＰ）を用いて送信される複数の第１ＣＳＩ−ＲＳと、第２ＣＳＩ−ＲＳリソースにおいて複数のＡＰを用いて送信される複数の第２ＣＳＩ−ＲＳと、を受信する受信部と、
前記第１ＣＳＩ−ＲＳリソースにおける第１参照信号受信電力（ＲＳＲＰ）値と、前記第２ＣＳＩ−ＲＳリソースにおける第２ＲＳＲＰ値と、を算出する制御部と、
前記第１ＲＳＲＰ値と、前記第２ＲＳＲＰ値と、前記第１ＣＳＩ−ＲＳリソースを示す第１ＣＳＩリソースインジケータ（ＣＲＩ）と、前記第２ＣＳＩ−ＲＳリソースを示す第２ＣＲＩと、の少なくとも１つを送信する送信部と、を有し、
前記制御部は、前記第１ＲＳＲＰ値及び前記第２ＲＳＲＰ値に基づいて、前記第１ＣＳＩ−ＲＳリソース及び前記第２ＣＳＩ−ＲＳリソースからＣＳＩ−ＲＳリソースを決定し、
前記送信部は、前記決定されたＣＳＩ−ＲＳリソースを示すＣＲＩと、前記決定されたＣＳＩ−ＲＳリソースにおけるＲＳＲＰ値と、の少なくとも１つを送信するユーザ装置（ＵＥ）。
【請求項３】
前記ＲＳＲＰ値は、前記複数の第１ＣＳＩ−ＲＳのそれぞれから算出されるＲＳＲＰ値の平均であり、前記第２ＲＳＲＰ値は、前記複数の第２ＣＳＩ−ＲＳのそれぞれから算出されるＲＳＲＰ値の平均である請求項２に記載のＵＥ。
【請求項４】
第１チャネル状態情報参照信号（ＣＳＩ−ＲＳ）リソースにおいて複数のアンテナポート（ＡＰ）を用いて複数の第１ＣＳＩ−ＲＳと、第２ＣＳＩ−ＲＳリソースにおいて複数のＡＰを用いて複数の第２ＣＳＩ−ＲＳと、を送信する送信部と、
前記第１ＣＳＩ−ＲＳリソースにおいて算出される第１参照信号受信電力（ＲＳＲＰ）値及び前記第２ＣＳＩ−ＲＳリソースにおいて算出される第２ＲＳＲＰ値に基づいて決定されるＣＳＩ−ＲＳリソースを示すＣＳＩリソースインジケータ（ＣＲＩ）と、前記決定されたＣＳＩ−ＲＳリソースにおけるＲＳＲＰ値と、の少なくとも１つを受信する受信部と、を有する基地局（ＢＳ）。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
ランダムアクセス要求の1つまたは複数の優先度レベルに対するバックオフ調整パラメータを用いてユーザ機器を構成するステップと、
ランダムアクセス要求を前記ユーザ機器から受信するステップと、
前記ランダムアクセス要求の前記優先度レベルに基づいて前記ユーザ機器におけるバックオフ間隔を修正するために、基本バックオフ間隔を含むランダムアクセス応答を前記ユーザ機器に送信するステップと
を含む、方法。
【請求項２】
前記ランダムアクセス要求が、呼び出されるランダムアクセスイベントのタイプを識別する情報を含む、請求項1に記載の方法。
【請求項３】
前記構成されたバックオフ調整パラメータが、前記1つまたは複数の優先度レベルの各々に対する前記バックオフ間隔の下限および上限を含む、請求項1に記載の方法。
【請求項４】
前記1つまたは複数のバックオフ調整パラメータが、優先度しきい値およびスケーリングファクタを含む、請求項1に記載の方法。
【請求項５】
ユーザ機器によるワイヤレス通信のための方法であって、
ランダムアクセス要求の1つまたは複数の優先度レベルに対するバックオフ調整パラメータを含む構成情報を基地局から受信するステップと、
ランダムアクセス要求を前記基地局に送信するステップと、
基本バックオフ間隔を含むランダムアクセス応答を前記基地局から受信するステップと、
前記ランダムアクセス要求の優先度レベルに関連付けられたバックオフ調整パラメータおよび前記基本バックオフ間隔に基づいて、前記ランダムアクセス要求を再送信するまでに待つべき時間量を規定するバックオフ間隔を決定するステップと
を含む、方法。
【請求項６】
前記構成情報が、前記1つまたは複数の優先度レベルの各々に対するバックオフ間隔の下限および上限を含み、
前記バックオフ間隔を決定するステップが、前記バックオフ間隔の前記下限および上限に基づいてバックオフ間隔を選択するステップを含む、請求項5に記載の方法。
【請求項７】
前記1つまたは複数のバックオフ調整パラメータが、優先度しきい値およびスケーリングファクタを含む、請求項5に記載の方法。
【請求項８】
前記バックオフ間隔を決定するステップが、
前記ランダムアクセス要求のタイプに関連付けられた前記優先度レベルが優先度しきい値より低いと決定すると、スケーリングファクタ、前記ランダムアクセス要求の前記タイプに関連付けられた前記優先度レベル、および前記基本バックオフ間隔に基づいて前記バックオフ間隔を調整するステップを含む、請求項5に記載の方法。
【請求項９】
ワイヤレス通信のための装置であって、
ランダムアクセス要求の1つまたは複数の優先度レベルに対するバックオフ調整パラメータを用いてユーザ機器を構成すること、
ランダムアクセス要求を前記ユーザ機器から受信すること、および
前記ランダムアクセス要求の前記優先度レベルに基づいて前記ユーザ機器におけるバックオフ間隔を修正するために、基本バックオフ間隔を含むランダムアクセス応答を前記ユーザ機器に送信すること
を行うように構成されたプロセッサと、
メモリと
を備える、装置。
【請求項１０】
前記ランダムアクセス要求が、呼び出されるランダムアクセスイベントのタイプを識別する情報を含む、請求項9に記載の装置。
【請求項１１】
前記1つまたは複数のバックオフ調整パラメータが、優先度しきい値およびスケーリングファクタを含む、請求項9に記載の装置。
【請求項１２】
ワイヤレス通信のための装置であって、
ランダムアクセス要求の1つまたは複数の優先度レベルに対するバックオフ調整パラメータを含む構成情報を基地局から受信すること、
ランダムアクセス要求を前記基地局に送信すること、
基本バックオフ間隔を含むランダムアクセス応答を前記基地局から受信すること、および
前記ランダムアクセス要求の優先度レベルに関連付けられたバックオフ調整パラメータおよび前記基本バックオフ間隔に基づいて、前記ランダムアクセス要求を再送信するまでに待つべき時間量を規定するバックオフ間隔を決定すること
を行うように構成されたプロセッサと、
メモリと
を備える、装置。
【請求項１３】
前記1つまたは複数のバックオフ調整パラメータが、優先度しきい値およびスケーリングファクタを含み、前記プロセッサが、
前記ランダムアクセス要求のタイプに関連付けられた前記優先度が優先度しきい値より低いと決定すると、スケーリングファクタ、前記ランダムアクセス要求の前記タイプに関連付けられた前記優先度、および前記基本バックオフ間隔に基づいて前記バックオフ間隔を調整すること
によって、前記バックオフ間隔を決定するように構成される、請求項12に記載の装置。
【請求項１４】
前記1つまたは複数のバックオフ調整パラメータが、ルックアップテーブル内のインデックスを含み、前記プロセッサが、
前記ランダムアクセス要求のタイプの前記優先度レベルに関連付けられたルックアップテーブル内の前記インデックスに関連付けられたバックオフスケーリングファクタを識別すること
によって、前記バックオフ間隔を決定するように構成される、請求項12に記載の装置。
【請求項１５】
請求項1乃至8のいずれか1項に記載の方法をコンピュータに実行させるためのコードを含むコンピュータプログラム。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
不連続受信(DRX)モードで動作しているユーザ機器(UE)に、前記UEに送信するのにデータが利用可能であるかどうかを示すウェイクアップ信号を送信するステップであって、前記ウェイクアップ信号がビーム掃引構成による送信ビームの第1のセットを使用して送信される、ステップと、
前記UEから、前記ウェイクアップ信号に少なくとも部分的に基づいて、応答信号を受信するステップと、
前記応答信号に少なくとも部分的に基づいて、前記UEへの前記ウェイクアップ信号の将来の送信用の送信ビームの第2のセットを識別するために、ビーム更新手順を実行するステップと
を含む、方法。
【請求項２】
前記UEに送信するのにデータが利用可能であることを示すように前記ウェイクアップ信号を構成するステップと、
前記ウェイクアップ信号に少なくとも部分的に基づいて、前記UEに送信するのにデータが利用可能であることの指示を前記UEが受信したことを示す前記応答信号を受信するステップと
をさらに含む、請求項1に記載の方法。
【請求項３】
前記応答信号がビームステータス報告を含み、および
前記ビームステータス報告が、前記ウェイクアップ信号のあらゆる送信に応答して前記UEから受信される、または、送信ビームの前記第1のセットの中の少なくとも1つの送信ビームが性能しきい値を下回ることに応答して、前記ビームステータス報告が前記UEから受信される、請求項2に記載の方法。
【請求項４】
前記UEに送信するのにデータが利用可能であることを識別するステップと、
前記UEに送信するのにデータが利用可能であることを示すように前記ウェイクアップ信号を構成するステップであって、前記ウェイクアップ信号を送信することが、前記データが利用可能であることに応答する、ステップと
をさらに含む、請求項1に記載の方法。
【請求項５】
前記応答信号に少なくとも部分的に基づいて前記ビーム更新手順をスケジュールするステップであって、前記ビーム更新手順が、非周期的なチャネル状態情報基準信号(CSI-RS)の送信を含む、ステップ
をさらに含む、請求項1に記載の方法。
【請求項６】
整数個のDRXサイクルに少なくとも部分的に基づいて、周期的なスケジュールに従って追加のビーム更新手順を実行するステップ
をさらに含む、請求項1に記載の方法。
【請求項７】
前記追加のビーム更新手順が、DRXサイクル内の前記ウェイクアップ信号の送信に先立って実行される、および/または
前記追加のビーム更新手順が、周期的なチャネル状態情報基準信号(CSI-RS)、周期的な同期信号、またはそれらの組合せの送信を含む、請求項6に記載の方法。
【請求項８】
前記UEとの通信、他のUEとの通信、またはそれらの組合せに関連付けられた通信測定基準を識別するステップと、
前記通信測定基準に少なくとも部分的に基づいて、前記整数個のDRXサイクルの値を選択するステップと
をさらに含む、請求項6に記載の方法。
【請求項９】
少なくとも前記応答信号を受信することに基づいて、物理ダウンリンク制御チャネル(PDCCH)信号用の送信ビームの第3のセットを識別するためにビーム管理手順を実行するステップであって、前記PDCCH信号が前記UEに前記データを送信するために使用されるリソースの許可を示す、ステップと、
前記示された送信リソースを使用して前記UEに前記データを送信するステップと
をさらに含む、請求項1に記載の方法。
【請求項１０】
前記PDCCH信号に少なくとも部分的に基づいて、送信ビームの前記第3のセットからの少なくとも1つの送信ビームを示す追加の応答信号を受信するステップと、
指示に少なくとも部分的に基づいて、前記UEに前記データを送信するために前記少なくとも1つの送信ビームを選択するステップと
をさらに含む、請求項9に記載の方法。
【請求項１１】
送信ビームの前記第3のセットが、送信ビームの前記第1または第2のセットのサブセットを含む、または、送信ビームの前記第3のセットが、送信ビームの前記第1または第2のセットのビーム幅よりも狭いビーム幅を備える、請求項9に記載の方法。
【請求項１２】
送信ビームの前記第1または第2のセットの中の前記送信ビームが、擬似オムニ送信ビームを含む、
請求項1に記載の方法。
【請求項１３】
前記UEに送信するのに利用可能なデータが存在するときに送信されるビットを含むように前記ウェイクアップ信号を構成するステップと、
前記UEに送信するのに利用可能なデータが存在しないときに前記ビットを送信することを控えるように前記ウェイクアップ信号を構成するステップと
をさらに含む、請求項1に記載の方法。
【請求項１４】
ワイヤレス通信のための方法であって、
基地局から、不連続受信(DRX)モードで動作している間に、UEに送信するのにデータが利用可能であるかどうかを示すウェイクアップ信号を受信するステップであって、前記ウェイクアップ信号がビーム掃引構成による送信ビームの第1のセットを使用して送信される、ステップと、
前記ウェイクアップ信号に少なくとも部分的に基づいて、前記UEに送信するのに利用可能なデータが存在すると決定するステップと、
前記決定に少なくとも部分的に基づいて、応答信号を送信するステップと、
前記応答信号に少なくとも部分的に基づいて、前記UEへの前記ウェイクアップ信号の将来の送信用の送信ビームの第2のセットを識別するために、ビーム更新手順を実行するステップと
を含む、方法。
【請求項１５】
ワイヤレス通信のための装置であって
プロセッサと、
前記プロセッサと電子通信しているメモリと、
前記メモリに記憶され、前記プロセッサによって実行されると、請求項1〜14のいずれか一項に記載の方法を前記装置に行わせるように動作可能な命令と
を備える、装置。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
ウェアラブル熱電デバイスであって、
内側と、前記内側とは反対側の外側とを有するフレキシブルバンドと、
アレイとして前記フレキシブルバンドによって支持されており、それぞれが前記フレキシブルバンドの前記内側上において作業面を含む、複数の熱電ユニットと、
前記熱電ユニットのアレイに電気的に接続された制御回路と、を備え、
前記制御回路が、前記熱電ユニットのアレイにスイッチ信号を提供して、前記熱電ユニットを選択的かつ逐次的にオン／オフするように構成されている、ウェアラブル熱電デバイス。
【請求項２】
前記制御回路がマイクロプロセッサ及び複数のスイッチを更に備え、前記マイクロプロセッサが、前記複数のスイッチへの逐次的なパルス信号を生成するように構成されている、請求項１に記載のデバイス。
【請求項３】
請求項１又は２に記載のウェアラブル熱電デバイスと、
ユーザから命令を受信し、前記命令を前記デバイスの前記制御回路に送信するように構成されている、プロセッサによって実行されるグラフィカルユーザインターフェース（ＧＵＩ）と、を備える、システム。
【請求項４】
アレイとして前記フレキシブルバンドによって支持されており、それぞれがフレキシブルバンドの内側において作業面を含む、複数の熱電ユニットを提供することと、
制御回路を介して、前記熱電ユニットのアレイにスイッチ信号を提供して、前記熱電ユニットを選択的かつ逐次的にオン／オフすることと、を含む、方法。
【請求項５】
前記作業面が冷却表面であり、前記熱電ユニットのうちの１つ以上がそれぞれ選択されて、オンされると、前記選択された熱電ユニットが、それぞれの前記冷却表面から、前記フレキシブルバンドの外側上の前記熱電ユニットの１つ以上の高温表面への熱流を可能にするように構成されている、請求項４に記載の方法。
【請求項６】
前記スイッチ信号を提供することが、マイクロプロセッサを介して、前記複数の熱電ユニットに接続された複数のスイッチへの逐次的なパルス信号を生成することを更に含む、請求項４に記載の方法。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
複数の反復を備える狭帯域物理ランダムアクセスチャネル(NPRACH)信号を生成するステップであって、各反復が複数のシンボルグループを備える、ステップと、
反復レベルのスクランブリングシーケンスを前記NPRACH信号に適用するステップであって、単一のスクランブリングシーケンスが、前記NPRACH信号に含まれる反復のセットに適用される、ステップと、
前記NPRACH信号を基地局に送信するステップとを備える、方法。
【請求項２】
前記反復レベルのスクランブリングシーケンスがセル固有である、請求項1に記載の方法。
【請求項３】
前記反復レベルのスクランブリングシーケンスが、スクランブリングシーケンスと、前記NPRACH信号が送信される前記基地局のセル識別子(ID)との間の関数に基づく、請求項2に記載の方法。
【請求項４】
前記基地局からスクランブリングシーケンスの指示を受信するステップをさらに備える、請求項1に記載の方法。
【請求項５】
前記指示が、無線リソース制御(RRC)シグナリングまたはシステム情報シグナリングに含まれるスクランブリングシーケンスインデックスを備える、請求項4に記載の方法。
【請求項６】
前記NPRACH信号の反復間で異なる周波数シフトを適用するステップをさらに備える、請求項1に記載の方法。
【請求項７】
周波数シフトのパターンが前記NPRACH信号に適用される、請求項6に記載の方法。
【請求項８】
周波数シフトの前記パターンが、前記NPRACH信号が送信される前記基地局に対応するセル固有の周波数シフトパターンを備える、請求項7に記載の方法。
【請求項９】
周波数シフトの前記パターンがランダムな周波数シフトホッピングパターンを備える、請求項7に記載の方法。
【請求項１０】
ワイヤレス通信のための装置であって、
複数の反復を備える狭帯域物理ランダムアクセスチャネル(NPRACH)信号を生成するための手段であって、各反復が複数のシンボルグループを備える、手段と、
反復レベルのスクランブリングシーケンスを前記NPRACH信号に適用するための手段であって、単一のスクランブリングシーケンスが、前記NPRACH信号に含まれる反復のセットに適用される、手段と、
前記NPRACH信号を基地局に送信するための手段とを備える、装置。
【請求項１１】
前記反復レベルのスクランブリングシーケンスがセル固有である、請求項10に記載の装置。
【請求項１２】
前記反復レベルのスクランブリングシーケンスが、スクランブリングシーケンスと、前記NPRACH信号が送信される前記基地局のセル識別子(ID)との間の関数に基づく、請求項10に記載の装置。
【請求項１３】
前記基地局からスクランブリングシーケンスの指示を受信するための手段をさらに備える、請求項10に記載の装置。
【請求項１４】
前記指示が、無線リソース制御(RRC)シグナリングまたはシステム情報シグナリングに含まれるスクランブリングシーケンスインデックスを備える、請求項13に記載の装置。
【請求項１５】
コンピュータ上での実行時に、請求項1〜9のいずれか一項に記載の方法を前記コンピュータに実行させる命令を含むコンピュータプログラム。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局からの送信内の少なくとも1つの許可インジケータを少なくとも1つのユーザ機器(UE)に提供するステップであって、前記少なくとも1つの許可インジケータは、前記少なくとも1つのUE内の後続の不連続受信(DRX)サイクルの間にデータの許可を、前記少なくとも1つのUEに通知するように構成される、ステップと、
前記DRXサイクルのオンデュレーションの開始前にトラッキングループを更新するのに十分な時間を前記少なくとも1つのUEに与えるように、前記1つの許可インジケータと前記DRXサイクルの間の送信フレーム内に選択的に配置された非周期的トラッキング基準信号(A-TRS)を送信するステップとを含む、方法。
【請求項２】
前記少なくとも1つの許可インジケータが、データのそれぞれの許可の存在を複数のUEに伝達するように構成される、請求項1に記載の方法。
【請求項３】
前記少なくとも1つの許可インジケータが、前記送信フレームを有する前記非周期的TRSの位置を示すように構成される、または、
前記少なくとも1つの許可インジケータが、前記DRXサイクルの前または間に前記送信の送信フレームのスロット内の物理ダウンリンク制御チャネル(PDCCH)によって配信される、請求項1に記載の方法。
【請求項４】
前記送信内の複数の許可インジケータを提供するステップをさらに含み、前記複数の許可インジケータの各許可インジケータは、前記送信内の少なくとも1つのスロット内の複数のミニスロットのそれぞれのミニスロット内に配置される、または、
前記送信内の複数の許可インジケータを提供するステップをさらに含み、前記複数の許可インジケータの各々は、複数のUEのそれぞれのUEにシグナリングするように構成され、前記A-TRSは、UEのグループに対して構成される、あるいは、
前記送信内の複数の許可インジケータを提供するステップをさらに含み、前記複数の許可インジケータの各許可インジケータは、前記送信内のそれぞれのUEに対して指定され、同じUEに対してそれぞれのA-TRSに関連付けられる、請求項1に記載の方法。
【請求項５】
前記許可インジケータが、前記UEの受信帯域幅を適応的に変更するためにUE内で使用可能な帯域幅適合シグナリングを含む、または、
前記A-TRSが、前記送信内のDRX時間期間の少なくとも1つの第1のスロット内で送信される、あるいは、
前記少なくとも1つの許可インジケータを提供するステップが、前記送信内の前記A-TRSの前記送信を介して前記許可をシグナリングするステップを含む、請求項1に記載の方法。
【請求項６】
前記送信内の前記許可インジケータよりも時間的に前に基準信号を提供するステップをさらに含み、前記基準信号は、前記UEによる前記許可インジケータの検出を支援するように構成される、請求項1に記載の方法。
【請求項７】
前記送信内のA-TRSのロケーションが、A-TRSロケーションをUEに示すようにさらに構成された前記少なくとも1つの許可インジケータのうちの1つ、および無線リソース制御(RRC)によって決定された所定のA-TRSロケーションによって決定される、請求項1に記載の方法。
【請求項８】
コンピュータ実行可能コードを記憶する非一時的コンピュータ可読記憶媒体であって、請求項1〜7のいずれか一項に記載の方法をコンピュータに行わせるためのコードを含む、非一時的コンピュータ可読記憶媒体。
【請求項９】
ワイヤレス通信のための装置であって、
プロセッサと、
前記少なくとも1つのプロセッサに通信可能に結合されたトランシーバと、
前記少なくとも1つのプロセッサに通信可能に結合されたメモリと
を備え、
前記プロセッサは、請求項1〜7のいずれか一項に記載の方法を使用して送信を生成するように構成される、装置。
【請求項１０】
ワイヤレス通信の方法であって、
基地局からの送信内の少なくとも1つの許可インジケータをユーザ機器(UE)内で受信するステップであって、前記少なくとも1つの許可インジケータは、不連続受信(DRX)サイクルの間に許可の存在を、UEに通知するように構成される、ステップと、
前記DRXサイクルのオンデュレーションの開始前にトラッキングループを更新するのに十分な時間を前記少なくとも1つのUEに与えるように、前記1つの許可インジケータと前記DRXサイクルの間の送信フレーム内に選択的に配置された、前記送信内の非周期的トラッキング基準信号(A-TRS)を受信するステップとを含む、方法。
【請求項１１】
前記トラッキングループが更新された後、前記DRXサイクルの間に前記受信された許可を処理するステップをさらに含む、または、
前記送信内の前記非周期的TRSの検出に基づいて前記少なくとも1つのUE内の前記トラッキングループを更新するステップをさらに含む、または、
帯域幅適合シグナリングを含む前記少なくとも1つの許可インジケータと、
前記帯域幅適合シグナリングに基づいて前記UE内の受信帯域幅を調整するステップとをさらに含む、または、
前記送信内の複数のオンデュレーションDRXサイクルの所定の部分に対する前記A-TRSを周期的にサブサンプリングするステップをさらに含む、請求項10に記載の方法。
【請求項１２】
前記少なくとも1つの許可インジケータが、送信フレームを有する前記A-TRSの位置を示す、または、
前記少なくとも1つの許可インジケータが、前記許可を含む前記DRXサイクルに先だってスロットの物理ダウンリンク制御チャネル(PDCCH)内に配置される、あるいは、
複数の許可インジケータが前記送信内に含まれ、各許可インジケータは、前記送信内のスロット内のそれぞれのミニスロット内に配置される、請求項10に記載の方法。
【請求項１３】
前記少なくとも1つの許可インジケータを検出するために前記UEを支援するように構成された追加の基準信号を前記少なくとも1つの許可インジケータの前に受信するステップをさらに含む、請求項10に記載の方法。
【請求項１４】
コンピュータ実行可能コードを記憶する非一時的コンピュータ可読記憶媒体であって、
請求項10〜13のいずれか一項に記載の方法をコンピュータに行わせるためのコードを含む、非一時的コンピュータ可読記憶媒体。
【請求項１５】
ワイヤレス通信のための装置であって、
プロセッサと、
前記少なくとも1つのプロセッサに通信可能に結合されたトランシーバと、
前記少なくとも1つのプロセッサに通信可能に結合されたメモリとを備え、
前記プロセッサは、
請求項10〜13のいずれか一項に記載の方法を行うように構成される、装置。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
ユーザ機器(UE)で実行されるワイヤレス通信のための方法であって、
アップリンク制御情報の変調シンボルのセットを拡散するための前記UEに対して構成された複数の拡散コードのうちの1個の拡散コードを識別するステップと、
周波数領域シンボルのセットを生成する離散フーリエ変換(DFT)拡散プロセスに先立って、前記拡散コードを使用して、変調シンボルの前記セットを拡散するステップと、
アップリンクスロットのシンボル期間に関する前記アップリンク制御情報の変調シンボルの第2のセットを識別するステップと、
前記DFT拡散プロセスに先立って、前記拡散コードのスカラーを使用して、前記変調シンボルの第2のセットを拡散するステップと、
周波数領域シンボルの前記セットから取得された時間領域波形を前記アップリンクスロットの前記シンボル期間内にサービング基地局に送信するステップと
を含む、
方法。
【請求項２】
前記複数の拡散コードが、直交カバーコードを含む、
請求項1に記載の方法。
【請求項３】
周波数領域シンボルの前記セットを前記アップリンク制御情報に割り当てられた周波数リソースのセットに関連するサブキャリアのセットにマッピングするステップをさらに含み、
前記アップリンク制御情報に関する前記時間領域波形を前記サービング基地局に前記送信するステップが、
前記アップリンク制御情報に関する前記時間領域波形を取得するために、周波数領域シンボルの前記マッピングされたセットに対して逆離散フーリエ変換を実行するステップをさらに含む、
請求項1に記載の方法。
【請求項４】
変調シンボルの前記セットを拡散するステップが、
変調シンボルの前記セットの各変調シンボルに前記拡散コードを適用するステップを含む、
請求項1に記載の方法。
【請求項５】
前記拡散コードが、フーリエベースの直交カバーコードである、
請求項1に記載の方法。
【請求項６】
前記拡散コードが、アダマール行列ベースの直交カバーコードである、
請求項1に記載の方法。
【請求項７】
変調シンボルの前記第2のセットが、変調シンボルの前記セットと同じである、
請求項1に記載の方法。
【請求項８】
ワイヤレス通信のための方法であって、
基地局において、アップリンクスロットの周波数リソースの第1のセット内でそれぞれのアップリンク制御情報を送信するように複数のユーザ機器(UE)をスケジュールするステップと、
離散フーリエ変換(DFT)拡散プロセスを実行するのに先立って、直交カバーコードを含む、複数のそれぞれの拡散コードを使用して、前記それぞれのアップリンク制御情報の変調シンボルのセットを拡散するための構成を前記複数のUEの各々に送信するステップであって、前記それぞれの拡散コードは、前記DFT拡散プロセスに先立って、前記拡散コードのスカラーを使用して変調シンボルの第2のセットを拡散するためのスカラーを具備する、ステップと
を含む、
方法。
【請求項９】
前記アップリンクスロットの周波数リソースの前記第1のセット上で、前記それぞれのアップリンク制御情報を含む複数の多重化アップリンク送信を前記複数のUEから受信するステップと、
前記複数の多重化アップリンク送信をデマッピングするステップと、
前記それぞれのアップリンク制御情報を取得するために、前記複数のそれぞれの拡散コードに従って、前記複数の多重化アップリンク送信を逆拡散するステップと
をさらに含む、
請求項8に記載の方法。
【請求項１０】
前記それぞれの拡散コードが、フーリエベースの直交カバーコードである、
請求項8に記載の方法。
【請求項１１】
前記それぞれの拡散コードが、前記複数のUEのうちの異なるUEからのアップリンク送信が、前記DFT拡散プロセスの後で、前記周波数領域内で直交であるように選択され、
前記周波数領域直交性が、前記複数のUEのうちの前記異なるUEからの前記アップリンク送信の周波数分割多重を含む、
請求項10に記載の方法。
【請求項１２】
前記それぞれの拡散コードが、アダマール行列ベースの直交カバーコードである、
請求項8に記載の方法。
【請求項１３】
請求項1から7のいずれか一項に記載の方法を実行するように構成された手段を備えたワイヤレス通信のための装置。
【請求項１４】
請求項8から12のいずれか一項に記載の方法を実行するように構成された手段を備えたワイヤレス通信のための装置。
【請求項１５】
コンピュータで実行されると、請求項1から12のいずれか一項に記載の方法をコンピュータに実行させるコードを備えたコンピュータプログラム。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
前記UEにサービスする基地局から、第1のタイプの基準信号と、第2のタイプの基準信号とを受信するステップと、
第1の信号品質しきい値と、前記UEが無線リンク監視(RLM)関数において、前記第1のタイプの基準信号と前記第2のタイプの基準信号の両方に、前記第1の信号品質しきい値を適用することになるとのインジケータとを備える、RLM構成を前記基地局から受信するステップと、
前記第1のタイプの基準信号の第1の信号品質と、前記第2のタイプの基準信号の第2の信号品質とを決定するステップと、
前記第1の信号品質と前記第2の信号品質の両方が前記第1の信号品質しきい値を下回ることに少なくとも部分的に基づいて、前記UEが前記基地局との通信のために同期していないと決定するステップと、
前記UEが同期していないとの前記決定に少なくとも部分的に基づいて、基地局通信を回復するステップとを含む、
方法。
【請求項２】
前記UEが同期していないと決定するステップは、
前記第1の信号品質と前記第2の信号品質のうちの高い方を決定するステップと、
前記第1の信号品質と前記第2の信号品質のうちの前記高い方が前記第1の信号品質しきい値を下回ることに少なくとも部分的に基づいて、前記UEが同期していないと決定するステップとを含む、
請求項1に記載の方法。
【請求項３】
前記UEが同期していないと決定するステップは、
前記第1の信号品質に関連付けられた第1のブロックエラーレートおよび前記第2の信号品質に関連付けられた第2のブロックエラーレートの両方が、構成されたブロックエラーレートしきい値を上回ることに少なくとも部分的に基づいて、前記UEが同期していないと決定するステップとをさらに含む、
請求項1に記載の方法。
【請求項４】
前記第1の信号品質および前記第2の信号品質を結合するステップと、
前記結合された信号品質を前記第1の信号品質しきい値と比較することに少なくとも部分的に基づいて、前記UEが同期しているか、同期していないかを決定するステップとをさらに含む、
請求項1に記載の方法。
【請求項５】
前記第1のタイプの基準信号の周期性が周期性しきい値よりも大きいと決定するステップと、
前記第2の信号品質に少なくとも部分的に基づいて、前記UEが同期しているか、同期していないかを決定するステップとをさらに含む、
請求項1に記載の方法。
【請求項６】
前記第2のタイプの基準信号の周期性が周期性しきい値よりも大きいと決定するステップと、
前記第1の信号品質に少なくとも部分的に基づいて、前記UEが同期しているか、同期していないかを決定するステップとをさらに含む、
請求項1に記載の方法。
【請求項７】
前記RLM構成が、第2の信号品質しきい値を備え、前記UEが同期しているか、同期していないかを決定するステップが、
前記第1の信号品質が前記第1の信号品質しきい値を下回るとの決定に少なくとも部分的に基づいて、前記UEが同期していないと決定するステップ、または
前記第1の信号品質が前記第1の信号品質しきい値を下回り、前記第2の信号品質が前記第2の信号品質しきい値を下回るとの決定に少なくとも部分的に基づいて、前記UEが同期していないと決定するステップを含む、
請求項1に記載の方法。
【請求項８】
前記RLM構成が、第2の信号品質しきい値を備え、前記UEが同期しているか、同期していないかを決定するステップが、
前記第1の信号品質が前記第1の信号品質しきい値を上回るとの決定に少なくとも部分的に基づいて、前記UEが同期していると決定するステップ、あるいは
前記第1の信号品質が前記第1の信号品質しきい値を上回るか、または前記第2の信号品質が前記第2の信号品質しきい値を上回るか、または両方であるかの決定に少なくとも部分的に基づいて、前記UEが同期していると決定するステップを含む、
請求項1に記載の方法。
【請求項９】
前記第1のタイプの基準信号が、同期信号を備え、
前記第2のタイプの基準信号が、チャネル状態情報基準信号を備える、
請求項1に記載の方法。
【請求項１０】
前記第1のタイプの基準信号が、ブロードキャストチャネルのための復調基準信号を備え、
前記第2のタイプの基準信号が、UE固有の基準信号を備える、
請求項1に記載の方法。
【請求項１１】
前記第1のタイプの基準信号が、ビームフォーミングされないチャネル状態情報基準信号を備え、
前記第2のタイプの基準信号が、ビームフォーミングされたチャネル状態情報基準信号を備える、
請求項1に記載の方法。
【請求項１２】
ユーザ機器(UE)におけるワイヤレス通信のための装置であって、
前記UEにサービスする基地局から、第1のタイプの基準信号と、第2のタイプの基準信号とを受信する手段と、
第1の信号品質しきい値と、前記UEが無線リンク監視(RLM)関数において、前記第1のタイプの基準信号と前記第2のタイプの基準信号の両方に、前記第1の信号品質しきい値を適用することになるとのインジケータとを備える、RLM構成を前記基地局から受信する手段と、
前記第1のタイプの基準信号の第1の信号品質と、前記第2のタイプの基準信号の第2の信号品質とを決定する手段と、
前記第1の信号品質と前記第2の信号品質の両方が前記第1の信号品質しきい値を下回ることに少なくとも部分的に基づいて、前記UEが前記基地局との通信のために同期していないと決定する手段と、
前記UEが同期していないとの前記決定に少なくとも部分的に基づいて、基地局通信を回復する手段とを備える、
装置。
【請求項１３】
ユーザ機器(UE)におけるワイヤレス通信のためのコードを記憶する非一時的コンピュータ可読媒体であって、前記コードが、
プロセッサによって実行されると、前記プロセッサに、請求項1から11のうちいずれか一項に記載の方法を行わせる命令を備える、
非一時的コンピュータ可読媒体。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
一方向に順次積層された、第１のグループ層と、第２のグループ層と、を含み、
前記第１のグループ層は、前記一方向に順次積層された、第１の外側接着剤層と、第１のフィルム層と、を含み、
前記第２のグループ層は、前記一方向に順次積層された、フォームキャリア層と、第２のフィルム層と、第２の外側接着剤層と、を含み、
前記第１のフィルム層及び前記第２のフィルム層のうちの一方は、ポリエチレン層である、両面テープ。
【請求項２】
前記第１のグループ層は、前記第１のフィルム層上に積層された、前記第２のグループ層との接着のための内側接着剤層を更に含む、請求項１に記載の両面テープ。
【請求項３】
前記第１のフィルム層及び前記第２のフィルム層のうちのもう一方は、ポリエチレンテレフタレート（ＰＥＴ）フィルム又は熱可塑性ポリウレタン（ＴＰＵ）フィルムから形成されている、請求項１に記載の両面テープ。
【請求項４】
前記ポリエチレン層は、０．５００ｇ／ｃｍ以上０．９５０ｇ／ｃｍ以下の密度を有する、請求項１に記載の両面テープ。
【請求項５】
前記ポリエチレン層は、１０μｍ以上５００μｍ以下の厚さを有する、請求項１に記載の両面テープ。
【請求項６】
前記ポリエチレン層は、１ｋｐａ以上３０ｋｐａ以下の引張荷重を有する、請求項１に記載の両面テープ。
【請求項７】
前記ポリエチレン層は、６０ＭＰａ以上２００ＭＰａ以下の弾性率を有する、請求項１に記載の両面テープ。
【請求項８】
両面テープの製造方法であって、
第１のグループ層及び第２のグループ層を順次積層する工程と、
前記第２のグループ層を切断して複数のカットオフ部を形成する切断工程と、
前記第２のグループ層から前記カットオフ部を除去して、前記第２のグループ層内に複数のカット穴を形成する、カット穴形成工程と、
前記複数のカット穴のうちの１つの片側面に沿って前記第１のグループ層を切断し、且つ前記カット穴の１つに隣接するカット穴の片側面に沿って前記第１のグループ層を切断して前記両面テープの両端を形成する、スリット工程と、を含み、
前記カットオフ部は、前記第２のグループ層の厚さ以下の厚さを有する、両面テープの製造方法。
【請求項９】
前記順次積層する工程は、
前記第１のグループ層及び前記第２のグループ層を互いに別個に調製することと、
前記第１のグループ層と前記第２のグループ層とを互いに接合することと、を含む、請求項８に記載の両面テープの製造方法。
【請求項１０】
前記第１のグループ層は、前記一方向に順次積層された、第１の外側接着剤層と、第１のフィルム層と、を含み、前記第２のグループ層は、前記一方向に順次積層された、フォームキャリア層と、第２のフィルム層と、第２の外側接着剤層と、を含み、前記第１のフィルム層及び前記第２のフィルム層のうちの一方は、ポリエチレン層である、請求項８に記載の両面テープの製造方法。
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
CaMKIIペプチド阻害剤をコードするベクターの有効量を含む、薬学的組成物。
【請求項２】
CaMKIIペプチド阻害剤がAIP、CN19、CN19o、CN27、CN21、またはそれらの類似体もしくは断片である、請求項1に記載の組成物。
【請求項３】
CaMKIIペプチド阻害剤をコードするポリヌクレオチドを含む、発現ベクター。
【請求項４】
CaMKIIペプチド阻害剤が、哺乳動物の心臓細胞で該ペプチドの発現を推進するのに適したプロモーターに機能的に連結されている、請求項3に記載の発現ベクター。
【請求項５】
CaMKIIペプチド阻害剤、その類似体または断片の有効量を含む薬学的組成物である、請求項3または4に記載の発現ベクター。
【請求項６】
レトロウイルス、アデノウイルス、またはアデノ随伴ウイルスベクターである、請求項3〜5のいずれか一項に記載の発現ベクター。
【請求項７】
請求項3〜6のいずれか一項に記載の発現ベクターを含む、細胞。
【請求項８】
CaMKII阻害剤、CaMKIIペプチド阻害剤、またはCaMKIIペプチド阻害剤をコードするポリヌクレオチドを含む、対象における心不整脈を調節するための医薬であって、該CaMKII阻害剤、該CaMKIIペプチド阻害剤、または該ポリヌクレオチドを心臓リアノジンチャネル（RYR2）を含む細胞と接触させるように用いられることを特徴とする、医薬。
【請求項９】
CaMKII阻害剤、CaMKIIペプチド阻害剤、またはCaMKIIペプチド阻害剤をコードするポリヌクレオチドを含む、対象におけるリアノジンチャネル（RYR2）ポリペプチドのリン酸化を阻害するための医薬であって、該CaMKII阻害剤、該CaMKIIペプチド阻害剤、または該ポリヌクレオチドを心臓リアノジンチャネル（RYR2）を含む細胞と接触させるように用いられることを特徴とする、医薬。
【請求項１０】
CaMKII阻害剤、CaMKIIペプチド阻害剤、その類似体もしくは断片、またはCaMKIIペプチド阻害剤をコードするポリヌクレオチドを含む、心不整脈に関連する突然変異を含む対象を治療するための医薬。
【請求項１１】
前記突然変異が心臓リアノジンチャネル（RYR2）にある、請求項10に記載の医薬。
【請求項１２】
前記突然変異がRYR2R4651Iである、請求項11に記載の医薬。
【請求項１３】
心不整脈を抑制する、請求項8〜12のいずれか一項に記載の医薬。
【請求項１４】
対象におけるカテコラミン誘発性多形性心室頻拍(CPVT)を抑制する、請求項8〜13のいずれか一項に記載の医薬。
【請求項１５】
CPVTに関連する突然変異を含む心臓リアノジンチャネル（RYR2）を発現する人工多能性幹細胞由来心筋細胞を使用して、心伝導または心収縮をモニタリングすることを含む、心筋細胞を特徴付ける方法。
【請求項１６】
CPVTに関連する突然変異を含む心臓リアノジンチャネル（RYR2）を発現する人工多能性幹細胞由来心筋細胞と候補薬剤とをインビトロで接触させること、および該細胞における心伝導または心収縮を測定することを含む、化合物のスクリーニング方法。
【手続補正２】
【補正対象書類名】明細書
【補正対象項目名】００６９
【補正方法】変更
【補正の内容】
【００６９】
本明細書に記載される組成物または方法はどれも、本明細書に記載される他の組成物および方法のいずれか1つまたは複数と組み合わせることができる。
[本発明1001]
CaMKIIペプチド阻害剤をコードするベクターの有効量を含む、薬学的組成物。
[本発明1002]
CaMKIIペプチド阻害剤がAIP、CN19、CN19o、CN27、CN21、またはそれらの類似体もしくは断片である、本発明1001の組成物。
[本発明1003]
CaMKIIペプチド阻害剤をコードするポリヌクレオチドを含む、発現ベクター。
[本発明1004]
CaMKIIペプチド阻害剤が、哺乳動物の心臓細胞で該ペプチドの発現を推進するのに適したプロモーターに機能的に連結されている、本発明1003の発現ベクター。
[本発明1005]
CaMKIIペプチド阻害剤、その類似体または断片の有効量を含む薬学的組成物である、本発明1003または1004の発現ベクター。
[本発明1006]
レトロウイルス、アデノウイルス、またはアデノ随伴ウイルスベクターである、本発明1003〜1005のいずれかの発現ベクター。
[本発明1007]
本発明1003〜1006のいずれかの発現ベクターを含む、細胞。
[本発明1008]
心臓リアノジンチャネル（RYR2）を含む細胞と、CaMKII阻害剤、CaMKIIペプチド阻害剤、またはCaMKIIペプチド阻害剤をコードするポリヌクレオチドとを接触させることを含む、対象における心不整脈を調節するための方法。
[本発明1009]
心臓リアノジンチャネル（RYR2）を含む細胞と、CaMKII阻害剤、CaMKIIペプチド阻害剤、またはCaMKIIペプチド阻害剤をコードするポリヌクレオチドとを接触させることを含む、対象におけるリアノジンチャネル（RYR2）ポリペプチドのリン酸化を阻害するための方法。
[本発明1010]
心不整脈に関連する突然変異を含む対象を治療する方法であって、該対象に、CaMKII阻害剤、CaMKIIペプチド阻害剤、その類似体もしくは断片、またはCaMKIIペプチド阻害剤をコードするポリヌクレオチドを投与することを含む、方法。
[本発明1011]
前記突然変異が心臓リアノジンチャネル（RYR2）にある、本発明1010の方法。
[本発明1012]
前記突然変異がRYR2R4651Iである、本発明1011の方法。
[本発明1013]
心不整脈を抑制する、本発明1008〜1012のいずれかの方法。
[本発明1014]
対象におけるカテコラミン誘発性多形性心室頻拍を抑制する、本発明1008〜1013のいずれかの方法。
[本発明1015]
CPVTに関連する突然変異を含む心臓リアノジンチャネル（RYR2）を発現する人工多能性幹細胞由来心筋細胞を使用して、心伝導または心収縮をモニタリングすることを含む、心筋細胞を特徴付ける方法。
[本発明1016]
CPVTに関連する突然変異を含む心臓リアノジンチャネル（RYR2）を発現する人工多能性幹細胞由来心筋細胞と候補薬剤とを接触させること、および該細胞における心伝導または心収縮を測定することを含む、化合物のスクリーニング方法。
【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）対向する第１の流れ端部及び第２の流れ端部を含むフィルタ媒体パックであって、前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部から出る空気を流すために閉じられている、
フィルタ媒体パックと、
（ｂ）外部周囲表面と、第１のピンチシールハウジング係合表面と、を有する軸方向ピンチシールを有するピンチシール構造であって、
（ｉ）前記第１のピンチシールハウジング係合表面は傾斜のある軸方向ピンチシール表面であり、前記傾斜のある軸方向ピンチシール表面はその上に少なくとも第１のハウジング係合突起を有し、
（ｉｉ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含む、
ピンチシール構造と、
（ｃ）外側に向かって突出する第１のプリフォームフランジを有する第１のプリフォームであって、
（ｉ）前記第１のハウジング係合突起を含む前記ピンチシール構造の一部分と周囲整列する位置にある第１のシール輪郭突起安定部を有し、
（ｉｉ）前記第１のシール輪郭突起安定部は、前記第１のシール輪郭突起安定部の隣接する対向周辺側部に位置する前記第１のプリフォームフランジの部分よりも前記第２の流れ端部に近い部分と軸方向に配置される、
第１のプリフォームと、
を含む、エアフィルタカートリッジ。
【請求項２】
（ａ）前記ピンチシール構造の一部分と前記フィルタ媒体パックとの間に配置されたレシーバ凹部
を含む、請求項１に記載のエアフィルタカートリッジ。
【請求項３】
（ａ）前記第１のプリフォームフランジは前記レシーバ凹部を横断する、
請求項２に記載のエアフィルタカートリッジ。
【請求項４】
（ａ）前記レシーバ凹部は、前記第２の流れ端部の方に面する、軸方向に向けられた傾斜のある端面を含む、
請求項２又は３に記載のエアフィルタカートリッジ。
【請求項５】
（ａ）前記軸方向に向けられた傾斜のある端面は、前記第１のハウジング係合突起と周囲整列した第１の突起セクションを含む、
請求項４に記載のエアフィルタカートリッジ。
【請求項６】
エアフィルタカートリッジであって、
（ａ）対向する第１の流れ端部及び第２の流れ端部を含むフィルタ媒体パックであって、対向する前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部に入る空気を流すために閉じられている、
フィルタ媒体パックと、
（ｂ）外部周囲表面と、第１のピンチシールハウジング係合表面と、を有する軸方向ピンチシールを有するピンチシール構造であって、
（ｉ）前記第１のピンチシールハウジング係合表面は傾斜のある軸方向ピンチシール表面であり、前記傾斜のある軸方向ピンチシール表面はその上に少なくとも第１のハウジング係合突起を有し、
（ｉｉ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含み、
（ｉｉｉ）前記ピンチシール構造はその中に、前記ピンチシール構造の一部分と前記フィルタ媒体パックとの間に配置されたレシーバ凹部を画定する、
ピンチシール構造と、
（ｃ）第１のプリフォームであって、
（ｉ）前記第１のハウジング係合突起と周囲整列したところから離隔した位置において前記レシーバ凹部を横断する第１のプリフォーム第１の突起セクションと、
（ｉｉ）前記第１のハウジング係合突起と周囲整列した位置において前記レシーバ凹部を横断して配置された第１の突起輪郭安定化セクションと、
を有し、
（Ａ）前記第１のプリフォームの前記第１の突起輪郭安定化セクションは、前記第１のプリフォーム第１の突起セクションよりも前記フィルタ媒体パックの前記第２の流れ端部の近くに方向付けられた少なくとも一部分を有する、
第１のプリフォームと、
を含む、エアフィルタカートリッジ。
【請求項７】
エアフィルタカートリッジであって、
（ａ）対向する第１の流れ端部及び第２の流れ端部を含むフィルタ媒体パックであって、対向する前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部に入る空気を流すために閉じられている、
フィルタ媒体パックと、
（ｂ）外部周囲表面と、第１のピンチシールハウジング係合表面と、を有する軸方向ピンチシールを有するピンチシール構造であって、
（ｉ）前記第１のピンチシールハウジング係合表面は傾斜のある軸方向ピンチシール表面であり、前記傾斜のある軸方向ピンチシール表面はその上に少なくとも第１のハウジング係合突起を有し、
（ｉｉ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含む、
ピンチシール構造と、
（ｃ）前記ピンチシール構造の一部分と前記フィルタ媒体パックとの間に配置されたレシーバ凹部であって、
（ｉ）前記レシーバ凹部は、前記第２の流れ端部の方に面する、軸方向に向けられた傾斜のある端面を含み、前記軸方向に向けられた傾斜のある端面は、前記第１のハウジング係合突起と周囲整列した第１の突起セクションを含む、
レシーバ凹部と、
を含む、エアフィルタカートリッジ。
【請求項８】
（ａ）前記フィルタ媒体パックを取り囲む、外側に向かって突出する第１のプリフォームフランジを有する第１のプリフォーム
を含む、請求項７に記載のエアフィルタカートリッジ。
【請求項９】
（ａ）前記第１のプリフォームフランジは、前記第１のハウジング係合突起を含む前記ピンチシール構造の一部分と周囲整列する位置にある第１のシール輪郭突起安定部を含み、
（ｉ）前記第１のシール輪郭突起安定部は、前記第１のシール輪郭突起安定部の隣接する対向周辺側部に位置する前記第１のプリフォームフランジの部分よりも前記第２の流れ端部に近い部分と軸方向に配置される、
請求項８に記載のエアフィルタカートリッジ。
【請求項１０】
（ａ）前記ピンチシール構造から前記第２の流れ端部まで延びて前記フィルタ媒体パックの側部を取り囲む第１のプリフォームの側壁セクション
を含む、請求項１〜９のいずれか一項に記載のエアフィルタカートリッジ。
【手続補正書】
【提出日】令和3年9月3日(2021.9.3)
【手続補正１】
【補正対象書類名】明細書
【補正対象項目名】０００５
【補正方法】変更
【補正の内容】
【０００５】
フレンチプレス型コーヒーメーカーは、一般的に普及している物品ではあるが、当該装置はサイズおよび容積において比較的小型であることが多く、一杯または二杯のコーヒーを作ることを意図している。また、フレンチプレス型コーヒーメーカーは、その基本設計が原因で洗浄が困難であり、サイズおよび容積が小さいことに加え、使用後毎回洗浄する必要があるため、業務用としては実用的ではない。したがって、レストランおよびコーヒーショップなどの業務環境で使用できる大型のフレンチプレス型コーヒーメーカーが現在必要とされている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第８，６９５，４８５号明細書
（特許文献２）  米国特許第６，２４０，８８３号明細書
（特許文献３）  米国特許第７，０４０，２１８号明細書
（特許文献４）  米国特許第５，５４４，５６６号明細書
（特許文献５）  国際公開第２０００／２７２６１号
（非特許文献）
（非特許文献１）  Ｆａｃｅｂｏｏｋ  Ｐｏｓｔ：  "ＯＵＲ  ＰＲＯＪＥＣＴ  ＨＩＴＳ  ＲＥＡＬＩＴＹ！"  （Ｓｔｏｒｍ  Ｍｏｕｎｔａｉｎ  Ｃｏｆｆｅｅ）  ０５  Ａｐｒｉｌ  ２０１７  （０５．０４．２０１７）  ｅｎｔｉｒｅ  ｐｏｓｔ．  ＵＲＬ：  ＜＜ｈｔｔｐｓ：／／ｗｗｗ．ｆａｃｅｂｏｏｋ．ｃｏｍ／ｄｒｉｎｋｓｔｏｒｍ／ｐｈｏｔｏｓ／ａ．２８５８４０９７１５３５８８２／１２５９７５２８４０８１１３５２／？ｔｙｐｅ＝３&ｔｈｅａｔｅｒ＞＞